(57)【要約】【課題】基準とする照明機器の明るさおよび色温度と等しい明るさおよび色温度に、容易、かつ、バラツキ無く調整することができるＬＥＤ照明システムを提供すること。【解決手段】異なる発光色のＬＥＤを含んだ複数のＬＥＤを有する照明部１１と、無線通信を可能とする無線通信部１４ｂによって外部から受信した調光調色制御信号に基づいて照明部１１の明るさおよび色温度を調整するように制御する調光調色調整制御部１５ａと、を有するＬＥＤ照明装置１０と、明るさおよび色温度の基準とする照明機器の照明部分を撮像することによって取得された画像から、照明部１１を照明部分と等しい明るさおよび色温度とする調光調色制御信号を生成する調光調色制御用ソフトウェア２１がダウンロードされ、調光調色制御信号を無線通信によってＬＥＤ照明装置１０に送信することによって、照明部１１の明るさおよび色温度を調整するカメラ機能付き無線通信携帯端末２０と、を有する。【選択図】図１
2020064730.tif 000002
【特許請求の範囲】
【請求項１】
異なる発光色のＬＥＤを含んだ複数のＬＥＤを有する照明部と、外部との無線通信を可能とする無線通信部によって外部から受信した調光調色制御信号に基づいて前記照明部の明るさおよび色温度を調整するように制御する調光調色調整制御部と、を有するＬＥＤ照明装置と、
明るさおよび色温度の基準とする照明機器の照明部分を撮像することによって取得された画像から、前記照明部を前記照明部分と等しい明るさおよび色温度とする前記調光調色制御信号を生成する調光調色制御用ソフトウェアがダウンロードされ、前記調光調色制御信号を無線通信によって前記ＬＥＤ照明装置に送信することによって、前記照明部の明るさおよび色温度を調整するカメラ機能付き無線通信携帯端末と、
を有することを特徴とするＬＥＤ照明システム。
【請求項２】
前記ＬＥＤ照明装置は、
前記調光調色調整制御部を含む付加機能部が収容される筐体部が前記照明部に着脱自在に設けられている
ことを特徴とする請求項１に記載のＬＥＤ照明システム。
【請求項３】
複数の前記ＬＥＤ照明装置が設けられ、
前記複数のＬＥＤ照明装置は、
個体を識別するための識別情報が記憶され、前記無線通信部によって前記識別情報を外部に発信し、
前記カメラ機能付き無線通信携帯端末は、
受信された一または複数の前記識別情報を画面に表示された前記調光調色制御用ソフトウェアの専用操作画面上に表示し、前記専用操作画面上に表示された一または複数の前記識別情報からユーザーによる選択操作によって選択された一または複数の前記ＬＥＤ照明装置に対して前記調光調色制御信号による明るさおよび色温度の調整が可能になっている
ことを特徴とする請求項１または２に記載のＬＥＤ照明システム。
【発明の詳細な説明】
【技術分野】
【０００１】
本発明は、ＬＥＤ照明装置の明るさおよび色温度を外部からの制御信号によって調整することができるＬＥＤ照明システムに関する。
【背景技術】
【０００２】
従来、明るさおよび色温度を調整することによって照明によるシーン演出を行うことができる照明システムがある。
【０００３】
例えば、特許文献１には、複数の照明機器と、複数の照明機器の明るさおよび色温度を調整することができるコントローラと、を有し、コントローラの表示部に複数の照明機器が配置された空間が操作画面として表示され、その表示部に表示された複数の照明機器の中から制御対象の照明機器を直観的に選択して、選択された照明機器の明るさおよび色温度を調整する照明システムがある。
【０００４】
ところで、近年の省電力化の流れから、光源が蛍光灯からＬＥＤ（Ｌｉｇｈｔ  Ｅｍｉｔｔｉｎｇ  Ｄｉｏｄｅ）に置き換えるようになってきている。
光源としてＬＥＤを用いたＬＥＤ照明装置は、置き換え対象となる既存の蛍光灯の電源を交流電源から直流電源に変換するとともに電気配線を変更することによってＬＥＤへの電源供給を可能にしている。
このようなＬＥＤ照明装置は、直流電源から給電するため、センサー、カメラ等の付加機能部を容易に組み込むことができる。
【０００５】
このようにＬＥＤ照明装置に各種機能を組み込むことが容易になったことから、複数設置された蛍光灯、あるいは、ＬＥＤ照明装置等の既存の照明機器の一部について、新たなＬＥＤ照明装置に置き換える流れが予想され、複数設置された既存の照明機器の一部について、新たなＬＥＤ照明装置に置き換えた場合、既存の照明機器に対して、明るさおよび色温度が異なることが原因で、人に不快感を与えてしまうことが問題になる。
【先行技術文献】
【特許文献】
【０００６】
【特許文献１】特開２０１４−５６７２３号公報
【発明の概要】
【発明が解決しようとする課題】
【０００７】
しかしながら、特許文献１に記載された照明システムは、複数の照明機器が並んで配置されている中に他と異なる明るさおよび色温度のものが発見されたため、その照明機器を他と同等の明るさおよび色温度に調整する場合、操作者が、基準となる照明機器の照明光と調整対象となる照明機器の照明光とを見比べて調整する必要がある。
すなわち、特許文献１に記載された照明システムは、作業が煩雑であるとともに、操作者個人の感覚に頼るため、明るさおよび色温度の調整具合にバラツキが発生してしまう問題があった。
【０００８】
本発明は、上記に鑑みてなされたものであって、基準とする照明機器の明るさおよび色温度と等しい明るさおよび色温度に、容易、かつ、バラツキ無く調整することができるＬＥＤ照明システムを提供することを目的とする。
【課題を解決するための手段】
【０００９】
上述した課題を解決し、目的を達成するために、本発明に係るＬＥＤ照明システムは、異なる発光色のＬＥＤを含んだ複数のＬＥＤを有する照明部と、外部との無線通信を可能とする無線通信部によって外部から受信した調光調色制御信号に基づいて前記照明部の明るさおよび色温度を調整するように制御する調光調色調整制御部と、を有するＬＥＤ照明装置と、明るさおよび色温度の基準とする照明機器の照明部分を撮像することによって取得された画像から、前記照明部を前記照明部分と等しい明るさおよび色温度とする前記調光調色制御信号を生成する調光調色制御用ソフトウェアがダウンロードされ、前記調光調色制御信号を無線通信によって前記ＬＥＤ照明装置に送信することによって、前記照明部の明るさおよび色温度を調整するカメラ機能付き無線通信携帯端末と、を有することを特徴とする。
【００１０】
また、本発明に係るＬＥＤ照明システムは、上記の発明において、前記ＬＥＤ照明装置が、前記調光調色調整制御部を含む付加機能部が収容される筐体部が前記照明部に着脱自在に設けられていることを特徴とする。
【００１１】
また、本発明に係るＬＥＤ照明システムは、上記の発明において、複数の前記ＬＥＤ照明装置が設けられ、前記複数のＬＥＤ照明装置が、個体を識別するための識別情報が記憶され、前記無線通信部によって前記識別情報を外部に発信し、前記カメラ機能付き無線通信携帯端末は、受信された一または複数の前記識別情報を画面に表示された前記調光調色制御用ソフトウェアの専用操作画面上に表示し、前記専用操作画面上に表示された一または複数の前記識別情報からユーザーによる選択操作によって選択された一または複数の前記ＬＥＤ照明装置に対して前記調光調色制御信号による明るさおよび色温度の調整が可能になっていることを特徴とする。
【発明の効果】
【００１２】
本発明に係るＬＥＤ照明システムは、前記調光調色制御用ソフトウェアがダウンロードされた前記カメラ機能付き無線通信携帯端末によって、明るさおよび色温度の基準とする照明機器の照明部分を撮像することによって取得された画像から、前記照明部を前記照明部分と等しい明るさおよび色温度とする前記調光調色制御信号を生成することができ、この生成された調光調色制御信号が前記カメラ機能付き無線通信携帯端末から前記ＬＥＤ照明装置に送信されることによって、前記調光調色調整制御部が前記ＬＥＤ照明装置の前記照明部を前記照明部分と等しい明るさおよび色温度に調整するように制御することができるので、基準とする照明機器の明るさおよび色温度と等しい明るさおよび色温度に、容易、かつ、バラツキ無く調整することができる。
【図面の簡単な説明】
【００１３】
【図１】図１は、本発明の実施例に係るＬＥＤ照明システムの構成を概略的に示したブロック図である。
【図２】図２は、図１に示したＬＥＤ照明システムのＬＥＤ照明装置の調光調色手順を説明するための図である。
【図３】図３は、ＬＥＤ照明システムが行う照明部の調光調色処理の流れを示したフローチャートである。
【図４】図４は、変形例のＬＥＤ照明システムの構成を概略的に示したブロック図である。
【図５】図５は、図４に示したＬＥＤ照明システムのＬＥＤ照明装置の調光調色手順を説明するための図である。
【図６】図６は、変形例のＬＥＤ照明システムが行う照明部の調光調色処理の流れを示したフローチャートである。
【発明を実施するための形態】
【００１４】
以下、図面を参照して、本発明に係るＬＥＤ照明システムの好適な実施例を詳細に説明する。
【実施例】
【００１５】
図１は、本発明の実施例に係るＬＥＤ照明システム１の構成を概略的に示したブロック図である。図２は、図１に示したＬＥＤ照明システム１のＬＥＤ照明装置１０の調光調色手順を説明するための図である。
本発明の実施例に係るＬＥＤ照明システム１は、例えば、電車内に配置される複数の照明機器１００の一部の照明機器１００に置き換えて導入されるＬＥＤ照明装置１０と、ＬＥＤ照明装置１０に対して照明光の明るさおよび色温度を調整するための調光調色制御信号を送信可能なカメラ機能付き無線通信携帯端末２０と、を有する。
【００１６】
まず、ＬＥＤ照明装置１０について説明する。
ＬＥＤ照明装置１０は、不図示のＬＥＤの光を出射する照明部１１と、照明部１１に着脱自在に設けられ、カメラ等の付加機能部１４が収容される筐体部１６と、を有する。
【００１７】
照明部１１は、ＬＥＤが内部に配置され、ＬＥＤの光を外部に出射する光透過性の部分を含む直管状カバー部１２と、直管状蛍光灯の一方のソケットから電源供給可能に接続されるように直管状カバー部１２の一端部に設けられた電源供給接続部１３と、を有する。
【００１８】
直管状カバー部１２は、直管状のガラス部材の外周面をＰＥＴ（ｐｏｌｙｅｔｈｙｌｅｎｅ  ｔｅｒｅｐｈｔｈａｌａｔｅ）等の飛散防止フィルムで覆った光透過性の直管状部分である。
なお、直管状カバー部１２は、ガラス部材に限らず、ＬＥＤの光を外部に出射する光透過性の部分を含む部材であれば、ポリカーボネート等のその他の材質からなるものであっても構わない。
【００１９】
この直管状カバー部１２は、内部に複数のＬＥＤが実装されたＬＥＤ回路基板１２ａと、直管状蛍光灯の一方のソケットから供給された交流電圧（例えば、ＡＣ１００Ｖ〜２００Ｖ）を、所定の直流電圧に変換する回路がボックス内に形成された電源制御回路部１２ｂが収容されている。
【００２０】
複数のＬＥＤは、異なる発光色のＬＥＤを含んでいる。
より具体的には、複数のＬＥＤは、２列並べて配置した５０００Ｋの色温度の複数のＬＥＤの間に２０００Ｋの色温度の複数のＬＥＤを１列並べて配置している。
【００２１】
照明部１１は、異なる発光色を含む複数のＬＥＤの各ＬＥＤに供給する給電量を増減することによって、照明光の明るさおよび色温度を調節できるようになっている。
なお、照明光の「明るさ」とは、光束、光度、輝度、等が挙げられる。
【００２２】
なお、照明部１１は、複数のＬＥＤによって明るさおよび色温度が調整できればよく、複数のＬＥＤの発光色の種類、数、および、配置はこの実施例に限定しない。
【００２３】
また、この実施例では、ＬＥＤ回路基板１２ａに無線通信部としての不図示のチップアンテナが実装されており、チップアンテナに接続された電線の端末部に設けられたコネクタが電線を介して直管状カバー部１２の外に引き出し可能になっている。
【００２４】
電源制御回路部１２ｂは、電源供給接続部１３およびＬＥＤ回路基板１２ａに電気的に接続され、さらに、コネクタを介して付加機能部１４に電気的に接続可能になっている。
この電源制御回路部１２ｂは、電源供給接続部１３から供給された電源を、複数のＬＥＤへの所定の直流電圧、および、付加機能部１４への所定の直流電圧（例えば、ＤＣ５Ｖ）に変換して供給するものである。
この実施例では、電源制御回路部１２ｂは、調光調色調整制御部１５ａからの制御信号に基づいて、複数のＬＥＤの各ＬＥＤに供給する給電量を制御するようになっている。
【００２５】
なお、電源制御回路部１２ｂは、付加機能部１４のコネクタに接続されるコネクタが電線を介して直管状カバー部１２の外に引き出し可能になっている。
【００２６】
電源供給接続部１３は、直管状蛍光灯の一方のソケットに接続されるように、口金に対応した構成になっている。この電源供給接続部１３は、電気接続部分となるピンを有し、ピンが直管状蛍光灯のソケットに装着可能な形状になっている。
【００２７】
なお、直管状カバー部１２の電源供給接続部１３とは逆側の端部は、筐体部１６に嵌合するようになっている。
【００２８】
次に、付加機能部１４について説明する。
付加機能部１４は、照明部１１を介して供給される電源の接続部分となる不図示のコネクタを有し、カメラ機能をなす撮像部１４ａと、外部との無線通信を可能とする無線通信部１４ｂと、付加機能部１４の各部の動作を制御する制御部１５と、を有する。
【００２９】
撮像部１４ａは、レンズとおよびイメージセンサによって実現される。
無線通信部１４ｂは、例えば、ＬＴＥ（登録商標）を通信方式として用いたＬＴＥモジュール、あるいは、ＷｉＦｉ（登録商標）を通信方式として用いたＷｉＦｉモジュール、あるいは、Ｂｌｕｅｔｏｏｔｈ（商標登録）モジュールによって実現される。
【００３０】
無線通信部１４ｂは、不図示の端子部を有し、照明部１１側に配置されたチップアンテナから引き出されたコネクタが不図示の端子部に脱着可能に接続されるようになっている。
このような無線通信部１４ｂは、照明部１１側に配置されたチップアンテナによって無線信号の送受信が行えるようになっている。
すなわち、無線通信部１４ｂは、アルミニウム製の筐体部１６内に配置されているものの、アンテナ部分となるチップアンテナが照明部１１側に配置されることによって通信を阻害されることなく安定した通信が行えるようになっている。
【００３１】
制御部１５は、プリント配線板等の回路基板によって実現する。
この制御部１５は、調光調色調整制御部１５ａと、記憶部１５ｂと、を有する。
【００３２】
調光調色調整制御部１５ａは、無線通信部１４ｂによって外部から受信した調光調色制御信号に基づいて照明部１１の明るさおよび色温度を調整するように制御するものである。
より具体的には、調光調色調整制御部１５ａは、無線通信部１４ｂによって外部から受信した調光調色制御信号に基づいた照明部１１の明るさおよび色温度になるように、電源制御回路部１２ｂによって、複数のＬＥＤの各ＬＥＤに供給する給電量を制御するものである。
【００３３】
記憶部１５ｂは、例えば、ＲОＭ（Ｒｅａｄ  Ｏｎｌｙ  Ｍｅｍｏｒｙ）、および、ＲＡＭ（Ｒａｎｄｏｍ  Ａｃｃｅｓｓ  Ｍｅｍｏｒｙ）を備えることによって実現し、撮像部１４ａによって撮像した撮像データ等、付加機能部の処理、あるいは、動作に関わる情報を記憶するものである。
なお、記憶部１５ｂは、マイクロＳＤ等のメモリカードを記憶媒体とするカードスロットをさらに備えるようにしても構わない。
【００３４】
次に、筐体部１６について説明する。
筐体部１６は、アルミニウム製であり、一端側が直管状カバー部１２の端部外周面に嵌合し、他端側が直管状蛍光灯の他方のソケットに接続される口金形状部分１７に嵌合するようになっている。
この筐体部１６は、内部に付加機能部１４を収容するための収容空間が形成されている。
【００３５】
次に、カメラ機能付き無線通信携帯端末２０について説明する。
カメラ機能付き無線通信携帯端末２０は、例えば、カメラ機能付きのスマートフォン、あるいは、カメラ機能付きのＰＤＡ（Ｐｅｓｏｎａｌ  Ｄａｔａ  Ａｓｓｉｓｔａｎｃｅ）によって実現する。
この実施例のカメラ機能付き無線通信携帯端末２０は、画面がタッチパネルになっている。
なお、カメラ機能付き無線通信携帯端末２０の画面は、タッチパネルに限定しない。すなわち、カメラ機能付き無線通信携帯端末２０は、例えば、画面表示と固定釦とを対応させた操作を行うものであり、固定釦を主な操作部分とするものであってもよい。
【００３６】
このカメラ機能付き無線通信携帯端末２０は、明るさおよび色温度の基準とする照明機器１００の照明部分１１０を撮像することによって取得された画像から、ＬＥＤ照明装置１０の照明部１１を基準とする照明機器１００の照明部分１１０と等しい明るさおよび色温度とする調光調色制御信号を生成する調光調色制御用ソフトウェア２１がダウンロードされている。
この調光調色制御用ソフトウェア２１は、ＬＥＤ照明装置１０との相互無線通信とそれに関わる操作を画面上で行うことができるようにしている。
【００３７】
調光調色制御用ソフトウェア２１は、カメラ機能付き無線通信携帯端末２０のカメラ機能によって撮像された照明機器１００の照明部分１１０の画像を解析することによって、照明部分１１０の照明光の明るさおよび色温度を算出し、ＬＥＤ照明装置１０の照明部１１を照明部分１１０の明るさおよび色温度に等しくなるように調整するための調光調色制御信号を生成するものである。
【００３８】
ここで、図２を用いて、ＬＥＤ照明システム１において、基準とする照明機器１００の明るさおよび色温度に等しくなるようにカメラ機能付き無線通信携帯端末２０を用いてＬＥＤ照明装置１０の照明光を調整する手順を説明する。
この照明光の調整作業は、例えば、電車に複数配置された直管型の蛍光灯、あるいは、直管型のＬＥＤ照明装置等、既存の複数の照明機器１００の一部を新たなＬＥＤ照明装置１０に置き換える場合に行われる。
【００３９】
まず、ユーザーは、カメラ機能付き無線通信携帯端末２０の調光調色制御用ソフトウェア２１を起動する。
調光調色制御用ソフトウェア２１が起動すると、カメラ機能付き無線通信携帯端末２０の画面には、調光調色制御用ソフトウェア２１専用の操作画面（以下、「専用操作画面」という。）が表示され、その専用操作画面上に、「撮像モード選択釦」が表示される。
ユーザーは、「撮像モード選択釦」を押すと、カメラ機能付き無線通信携帯端末のカメラ機能を用いて撮像することができる状態になる。
【００４０】
次に、ユーザーは、カメラ機能付き無線通信携帯端末２０によって、明るさおよび色温度の基準とする照明機器１００の照明部分１１０を撮像する。
すると、カメラ機能付き無線通信携帯端末２０の画面には撮像された照明部分１１０の画像が表示される。
なお、このカメラ機能付き無線通信携帯端末２０の画面に表示された照明部分１１０の画像は、照明光の明るさおよび色温度を算出するために画像解析に用いるものである。
このため、この画面に表示された照明部分１１０の画像は、手動、あるいは、自動で画像解析に用いる領域を調整できるようにしてもよい。
【００４１】
次に、ユーザーは、調光調色制御信号の生成処理を実行する。
この調光調色制御信号の生成処理は、ユーザーが、専用操作画面上に表示された「制御信号生成実行釦」を押すことによって実行される。
調光調色制御信号の生成処理が実行完了すると、「調光調色制御信号送信釦」が専用操作画面上に表示される。
【００４２】
次に、ユーザーは、調光調色制御信号をＬＥＤ照明装置１０に送信する。
この調光調色制御信号の送信処理は、ユーザーが、専用操作画面上に表示された「調光調色制御信号送信釦」を押すことによって実行される。
すると、調光調色制御信号がカメラ機能付き無線通信携帯端末２０からＬＥＤ照明装置１０に無線通信によって送信され、ＬＥＤ照明装置１０の調光調色調整制御部１５ａによって照明部１１の明るさおよび色温度が基準となる照明機器１００の照明部分と等しくなるように調整される。
【００４３】
次に、図３を用いて本発明の実施例に係るＬＥＤ照明システム１が行う照明部１１の調光調色処理の流れについて説明する。
図３は、ＬＥＤ照明システム１が行う照明部の調光調色処理の流れを示したフローチャートである。
なお、このＬＥＤ照明システム１が行う照明部の調光調色処理は、上述の、基準とする照明機器１００の明るさおよび色温度に等しくなるようにカメラ機能付き無線通信携帯端末２０を用いてＬＥＤ照明装置１０の照明光を調整する手順（以下、単に「上述の手順」という。）に対応して処理が実行される。
【００４４】
まず、カメラ機能付き無線通信携帯端末２０は、ダウンロードされた調光調色制御用ソフトウェア２１を起動する（ステップＳ２０１）。
この調光調色制御用ソフトウェア２１の起動処理は、上述の手順にて説明したユーザーによるソフトフェアの起動操作によって実行される。
カメラ機能付き無線通信携帯端末２０は、調光調色制御用ソフトウェア２１が起動されると、画面に、専用操作画面を表示し、その専用操作画面上に、「撮像モード選択釦」を表示する。
【００４５】
次に、カメラ機能付き無線通信携帯端末２０は、明るさおよび色温度の基準とする照明機器１００の照明部分１１０の画像を取得する（ステップＳ２０２）。
この照明部分１１０の画像取得処理は、上述の手順にて説明したユーザーによる撮像操作によって実行される。
カメラ機能付き無線通信携帯端末２０は、ユーザーによって撮像された照明部分１１０の画像を専用操作画面上に表示する。
この専用操作画面上に表示された照明部分１１０の画像は、手動、あるいは、自動で画像解析に用いる領域の調整処理が可能になっている。
【００４６】
次に、カメラ機能付き無線通信携帯端末２０は、調光調色制御信号を生成する（ステップＳ２０３）。
この調光調色制御信号の生成処理は、上述の手順にてユーザーによって、専用操作画面上に表示された「制御信号生成実行釦」が押されることによって実行される。
この処理によって、調光調色制御用ソフトウェア２１は、カメラ機能付き無線通信携帯端末２０のカメラ機能によって撮像された照明機器１００の照明部分１１０の画像を解析することによって、照明部分１１０の照明光の明るさおよび色温度を算出し、ＬＥＤ照明装置１０の照明部１１を照明部分１１０の明るさおよび色温度に等しくなるように調整するための調光調色制御信号を生成する。
【００４７】
最後に、カメラ機能付き無線通信携帯端末２０は、調光調色制御信号をＬＥＤ照明装置１０に送信し（ステップＳ２０４）、調光調色処理を終了する。
この調光調色制御信号の送信処理は、上述の手順にてユーザーによって、専用操作画面上に表示された「調光調色制御信号送信釦」が押されることによって実行される。
【００４８】
一方、ＬＥＤ照明装置１０は、カメラ機能付き無線通信携帯端末２０から調光調色制御信号を受信したか否かの判断処理を繰り返す（ステップＳ１０１）。
【００４９】
ステップＳ１０１において、ＬＥＤ照明装置１０は、カメラ機能付き無線通信携帯端末２０から調光調色制御信号を受信したと判断した場合（ステップＳ１０１：Ｙｅｓ）、受信した調光調色制御信号に基づいて照明部１１の明るさおよび色温度を調整し（ステップＳ１０２）、調光調色処理を終了する。
【００５０】
なお、ステップＳ１０１において、ＬＥＤ照明装置１０は、カメラ機能付き無線通信携帯端末２０から調光調色制御信号を受信したと判断しない場合（ステップＳ１０１：Ｎｏ）、ＬＥＤ照明装置１０は、ステップＳ１０１の判断処理を繰り返す。
【００５１】
本発明の実施例に係るＬＥＤ照明システム１は、調光調色制御用ソフトウェア２１がダウンロードされたカメラ機能付き無線通信携帯端末２０によって、明るさおよび色温度の基準とする照明機器１００の照明部分１１０を撮像することによって取得された画像から、照明部１１を照明部分１１０と等しい明るさおよび色温度とする調光調色制御信号を生成することができ、この生成された調光調色制御信号がカメラ機能付き無線通信携帯端末２０からＬＥＤ照明装置１０に送信されることによって、調光調色調整制御部１５ａがＬＥＤ照明装置１０の照明部１１を照明部分１１０と等しい明るさおよび色温度に調整するように制御することができるので、基準とする照明機器１００の明るさおよび色温度と等しい明るさおよび色温度に、容易、かつ、バラツキ無く調整することができる。
【００５２】
また、本発明の実施例に係るＬＥＤ照明システム１は、調光調色調整制御部１５ａを含む付加機能部１４が収容される筐体部１６が照明部１１に着脱自在に設けられているので、ＬＥＤ照明装置１０の機能拡張が高く、調光調色調整制御部１５ａをその他機能とともにＬＥＤ照明装置１０に容易に付加することができる。
【００５３】
次に、図４−図６を用いて、本発明の実施例に係るＬＥＤ照明システム１の変形例のＬＥＤ照明システム２について説明する。
図４は、変形例のＬＥＤ照明システム２の構成を概略的に示したブロック図である。図５は、図４に示したＬＥＤ照明システム２のＬＥＤ照明装置１０の調光調色手順を説明するための図である。図６は、変形例のＬＥＤ照明システム２が行う照明部１１の調光調色処理の流れを示したフローチャートである。
【００５４】
変形例のＬＥＤ照明システム２は、カメラ機能付き無線通信携帯端末２０が調光調色制御信号を無線通信によって送信する対象となるＬＥＤ照明装置１０を識別するための識別情報を各ＬＥＤ照明装置１０が有する点で、実施例のＬＥＤ照明システムと異なる。
なお、その他の構成は実施例と同様であり、実施例と同一構成部分には同一符号を付し、その説明を省略する。
【００５５】
この変形例のＬＥＤ照明システム２は、例えば、電車内に複数配置される照明機器１００の一部の照明機器１００に置き換えて導入される複数のＬＥＤ照明装置１０と、ＬＥＤ照明装置１０に対して調光調色制御信号を送信可能なカメラ機能付き無線通信携帯端末２０と、を有する。
なお、この変形例のＬＥＤ照明システム２は、は、既存の複数の照明機器１００の一部を新たに複数のＬＥＤ照明装置１０に置き換えた場合、カメラ機能付き無線通信携帯端末２０に対して複数のＬＥＤ照明装置１０が相互通信可能な状態になることを想定したものである。
【００５６】
まず、ＬＥＤ照明装置１０について説明する。
ＬＥＤ照明装置１０は、不図示のＬＥＤの光を出射する照明部１１と、照明部１１に着脱自在に設けられ、カメラ等の付加機能部１４が収容される筐体部１６と、を有する。
【００５７】
付加機能部１４は、照明部１１を介して供給される電源の接続部分となるコネクタを有し、カメラ機能をなす撮像部１４ａと、外部との無線通信を可能とする無線通信部１４ｂと、付加機能部１４の各部の動作を制御する制御部１５と、を有する。
【００５８】
制御部１５は、プリント配線板等の回路基板によって実現する。
この制御部１５は、調光調色調整制御部１５ａと、記憶部１５ｂと、を有する。
【００５９】
記憶部１５ｂは、例えば、ＲОＭ（Ｒｅａｄ  Ｏｎｌｙ  Ｍｅｍｏｒｙ）、および、ＲＡＭ（Ｒａｎｄｏｍ  Ａｃｃｅｓｓ  Ｍｅｍｏｒｙ）を備えることによって実現し、撮像部１４ａによって撮像した撮像データ等、付加機能部の処理、あるいは、動作に関わる情報を記憶するものである。
なお、記憶部１５ｂは、マイクロＳＤ等のメモリカードを記憶媒体とするカードスロットをさらに備えるようにしても構わない。
【００６０】
この変形例では、記憶部１５ｂには、図４に示すように、ＬＥＤ照明装置１０の個体を識別するための識別情報１５ｃが記憶さている。
【００６１】
このような変形例のＬＥＤ照明装置１０は、無線通信部１４ｂによって識別情報１５ｃを外部に発信している。
より具体的には、ＬＥＤ照明装置１０は、いわゆるビーコン信号によって識別情報１５ｃを外部に発信している。
【００６２】
カメラ機能付き無線通信携帯端末２０は、画面に表示された調光調色制御用ソフトウェア２１の専用操作画面上に受信された一または複数の識別情報１５ｃを表示し、専用操作画面上に表示された一または複数の識別情報１５ｃからユーザーによる選択操作によって選択された一または複数のＬＥＤ照明装置１０に対して調光調色制御信号による明るさおよび色温度の調整が可能になっている。
【００６３】
ここで、図５を用いて、変形例のＬＥＤ照明システム２において、基準とする照明機器１００の明るさおよび色温度に等しくなるようにカメラ機能付き無線通信携帯端末２０を用いてＬＥＤ照明装置１０の照明光を調整する手順を説明する。
この照明光の調整作業は、例えば、電車に複数配置された直管型の蛍光灯、あるいは、直管型のＬＥＤ照明装置等、既存の複数の照明機器１００の一部を新たな複数のＬＥＤ照明装置１０に置き換える場合に行われる。
【００６４】
まず、ユーザーは、カメラ機能付き無線通信携帯端末２０の調光調色制御用ソフトウェア２１を起動する。
調光調色制御用ソフトウェア２１が起動すると、カメラ機能付き無線通信携帯端末２０の画面には、調光調色制御用ソフトウェア２１専用の操作画面（以下、「専用操作画面」という。）が表示され、その専用操作画面上に、ＬＥＤ照明装置１０の個体を識別する一または複数の識別情報１５ｃが表示される。
【００６５】
次に、ユーザーは、専用操作画面上に表示された一または複数の識別情報１５ｃから所望の識別情報１５ｃを選択操作する。
ここで、ユーザーは、専用操作画面上に表示された複数の識別情報１５ｃ、例えば、「ＬＥＤ照明装置Ｎｏ．１」、「ＬＥＤ照明装置Ｎｏ．２」、・・・、「ＬＥＤ照明装置Ｎｏ．ｎ（ｎは自然数）」と表示された複数の識別情報１５ｃの中から照明光の調整対象となるＬＥＤ照明装置１０の識別情報１５ｃを押す。
【００６６】
次に、ユーザーは、専用操作画面上に表示された「撮像モード選択釦」を押すことによって、カメラ機能付き無線通信携帯端末２０のカメラ機能を用いて撮像することができる状態とし、カメラ機能付き無線通信携帯端末２０によって、明るさおよび色温度の基準とする照明機器１００の照明部分１１０を撮像する。
すると、カメラ機能付き無線通信携帯端末２０の画面には撮像された照明部分１１０の画像が表示される。
なお、このカメラ機能付き無線通信携帯端末２０の画面に表示された照明部分１１０の画像は、照明光の明るさおよび色温度を算出するために画像解析に用いるものである。
このため、この画面に表示された照明部分１１０の画像は、手動、あるいは、自動で画像解析に用いる領域を調整できるようにしてもよい。
【００６７】
次に、ユーザーは、調光調色制御信号の生成処理を実行する。
この調光調色制御信号の生成処理は、ユーザーが、専用操作画面上に表示された「制御信号生成実行釦」を押すことによって実行される。
調光調色制御信号の生成処理が実行完了すると、「調光調色制御信号送信釦」が専用操作画面上に表示される。
【００６８】
次に、ユーザーは、選択された識別情報１５ｃおよび調光調色制御信号をＬＥＤ照明装置１０に送信する。
この調光調色制御信号の送信処理は、ユーザーが、専用操作画面上に表示された「調光調色制御信号送信釦」を押すことによって実行される。
すると、選択された識別情報１５ｃおよび調光調色制御信号がカメラ機能付き無線通信携帯端末２０からＬＥＤ照明装置１０に無線通信によって送信され、照明光の調整対象となるＬＥＤ照明装置１０が、調光調色調整制御部１５ａによって照明部１１の明るさおよび色温度が基準となる照明機器１００の照明部分１１０と等しくなるように調整される。
なお、ユーザーによる識別情報１５ｃを選択操作によって複数の識別情報が選択されている場合、調光調色制御信号が選択された複数の識別情報１５ｃに対応した複数のＬＥＤ照明装置１０に送信されることによって、複数のＬＥＤ照明装置１０の照明部１１の明るさおよび色温度を同時に調整することができる。
【００６９】
次に、図６を用いて変形例のＬＥＤ照明システム２が行う照明部１１の調光調色処理の流れについて説明する。
図６は、変形例のＬＥＤ照明システム２が行う照明部の調光調色処理の流れを示したフローチャートである。
なお、この変形例のＬＥＤ照明システム２が行う照明部の調光調色処理は、上述の、基準とする照明機器１００の明るさおよび色温度に等しくなるようにカメラ機能付き無線通信携帯端末２０を用いてＬＥＤ照明装置１０の照明光を調整する手順（以下、単に「上述の手順」という。）に対応して処理が実行される。
【００７０】
まず、カメラ機能付き無線通信携帯端末２０は、ダウンロードされた調光調色制御用ソフトウェア２１を起動する（ステップＳ４０１）。
この調光調色制御用ソフトウェア２１の起動処理は、上述の手順にて説明したユーザーによるソフトフェアの起動操作によって実行される。
カメラ機能付き無線通信携帯端末２０は、調光調色制御用ソフトウェア２１が起動されると、画面に、専用操作画面を表示する。
【００７１】
次に、カメラ機能付き無線通信携帯端末２０は、ＬＥＤ照明装置１０の識別情報を受信したか否かを判断する（ステップＳ４０２）。
【００７２】
ステップＳ４０２において、カメラ機能付き無線通信携帯端末２０は、ＬＥＤ照明装置１０の識別情報を受信したと判断した場合（ステップＳ４０２：Ｙｅｓ）、受信した識別情報を表示する（ステップＳ４０３）。
この識別情報表示処理は、カメラ機能付き無線通信携帯端末２０が受信した、例えば、「ＬＥＤ照明装置Ｎｏ．１」、「ＬＥＤ照明装置Ｎｏ．２」、・・・、「ＬＥＤ照明装置Ｎｏ．ｎ（ｎは自然数）」というような識別情報１５ｃを専用操作画面上に、選択操作可能な押し釦として並べて表示する。
【００７３】
ステップＳ４０２において、カメラ機能付き無線通信携帯端末２０は、ＬＥＤ照明装置１０の識別情報１５ｃを受信していないと判断した場合（ステップＳ４０２：Ｎｏ）、ステップＳ４０２の判断処理を繰り返す。
【００７４】
次に、カメラ機能付き無線通信携帯端末２０は、ユーザーによって選択された識別情報１５ｃを取得する（ステップＳ４０４）。
この識別情報取得処理は、上述の手順にて説明したユーザーによる所望の識別情報１５ｃの選択操作によって識別情報が取得される。
すなわち、ユーザーによって、例えば、「ＬＥＤ照明装置Ｎｏ．１」、「ＬＥＤ照明装置Ｎｏ．２」、・・・、「ＬＥＤ照明装置Ｎｏ．ｎ（ｎは自然数）」と表示された複数の識別情報１５ｃの中から、押して選択操作された識別情報が取得される。
【００７５】
次に、カメラ機能付き無線通信携帯端末２０は、明るさおよび色温度の基準とする照明機器１００の照明部分１１０の画像を取得する（ステップＳ４０５）。
この照明部分１１０の画像取得処理は、上述の手順にて説明したユーザーによる撮像操作によって実行される。
カメラ機能付き無線通信携帯端末２０は、ユーザーによって撮像された照明部分１１０の画像を専用操作画面上に表示する。
この専用操作画面上に表示された照明部分１１０の画像は、手動、あるいは、自動で画像解析に用いる領域の調整処理が可能になっている。
【００７６】
次に、カメラ機能付き無線通信携帯端末２０は、調光調色制御信号を生成する（ステップＳ４０６）。
この調光調色制御信号の生成処理は、上述の手順にてユーザーによって、専用操作画面上に表示された「制御信号生成実行釦」が押されることによって実行される。
この処理によって、調光調色制御用ソフトウェアは、カメラ機能付き無線通信携帯端末２０のカメラ機能によって撮像された照明機器１００の照明部分１１０の画像を解析することによって、照明部分の照明光の明るさおよび色温度を算出し、ＬＥＤ照明装置１０の照明部１１を照明部分１１０の明るさおよび色温度に等しくなるように調整するための調光調色制御信号を生成する。
【００７７】
最後に、カメラ機能付き無線通信携帯端末２０は、選択された識別情報１５ｃおよび調光調色制御信号をＬＥＤ照明装置１０に送信し（ステップＳ４０７）、調光調色処理を終了する。
この選択された識別情報１５ｃおよび調光調色制御信号の送信処理は、上述の手順にてユーザーによって、専用操作画面上に表示された「調光調色制御信号送信釦」が押されることによって実行される。
【００７８】
一方、ＬＥＤ照明装置１０は、カメラ機能付き無線通信携帯端末２０から記憶された自体の識別情報１５ｃおよび調光調色制御信号を受信したか否かの判断処理を繰り返す（ステップＳ３０１）。
【００７９】
ステップＳ３０１において、ＬＥＤ照明装置１０は、カメラ機能付き無線通信携帯端末２０から記憶された自体の識別情報１５ｃおよび調光調色制御信号を受信したと判断した場合（ステップＳ３０１：Ｙｅｓ）、受信した調光調色制御信号に基づいて照明部１１の明るさおよび色温度を調整し（ステップＳ１０２）、調光調色処理を終了する。
【００８０】
なお、ステップＳ３０１において、ＬＥＤ照明装置１０は、カメラ機能付き無線通信携帯端末２０から記憶された自体の識別情報１５ｃおよび調光調色制御信号を受信したと判断しない場合（ステップＳ３０１：Ｎｏ）、ＬＥＤ照明装置１０は、ステップＳ３０１の判断処理を繰り返す。
【００８１】
変形例のＬＥＤ照明システム２は、実施例のＬＥＤ照明システム１と同様の効果を奏するとともに、ＬＥＤ照明装置の個別の識別情報によって、カメラ機能付き無線通信携帯端末２０から明るさおよび色温度の制御対象となるＬＥＤ照明装置に選択的に調光調色制御信号を送信することができので、複数のＬＥＤ照明装置１０の明るさおよび色温度を同時に調整することができる。
【００８２】
本発明の実施例に係るＬＥＤ照明システム１、２は、ＬＥＤ照明装置１０の照明部１１が直管状であるものを例示したが、照明部１１の形状は直管状に限らず、その他の形状であっても構わない。例えば、照明部１１が環状であってもよい。
【００８３】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００８４】
１、２      ＬＥＤ照明システム
１０        ＬＥＤ照明装置
１１        照明部
１２        直管状カバー部
１２ａ      ＬＥＤ回路基板
１２ｂ      電源制御回路部
１３        電源供給接続部
１４        付加機能部
１４ａ      撮像部
１４ｂ      無線通信部
１５        制御部
１５ａ      調光調色調整制御部
１５ｂ      記憶部
１５ｃ      識別情報
１６        筐体部
１７        口金形状部分
２０        カメラ機能付き無線通信携帯端末
２１        調光調色制御用ソフトウェア
１００      照明機器
１１０      照明部分
【図１】
2020064730.tif 000003
【図２】
2020064730.tif 000004
【図３】
2020064730.tif 000005
【図４】
2020064730.tif 000006
【図５】
2020064730.tif 000007
【図６】
2020064730.tif 000008